(57)【要約】      （修正有）【課題】植生された耕作物の基部に寄せた土を締める為の農耕用土締め作業具であって、作業を行う上で多くの労力を必要とせず、生産者（作業者）の負担を極力減じることができると共に、耕作物の基部に寄せた土を効果的に締めることのできる農耕用土締め作業具を提供する。【解決手段】植生された耕作物の基部に寄せた土を締める為の農耕用土締め作業具Ｇであって、曲折する板状部材によって形成された振動板１０と、振動板を、その厚さ方向に振動させる駆動部１１とからなる。【選択図】図１
0003198501.tif 000002
【実用新案登録請求の範囲】
【請求項１】
植生された耕作物の基部に寄せた土を締める為の農耕用土締め作業具であって、
曲折する板状部材によって形成された振動板と、
前記振動板を、その厚さ方向に振動させる駆動部とからなる事を特徴とする、農耕用土締め作業具。
【請求項２】
前記駆動部は、軸周りに同一面内を回転する回転体を備えており、
当該回転体は、径方向外側に突出する突出部を備えており、
当該突出部は、前記回転体の回転により前記振動板に衝突し、当該振動板を振動させる、請求項１に記載の農耕用土締め作業具。
【請求項３】
前記回転体は円盤状又は板状であって、
前記突出部は、前記回転体の先端側に、当該回転体から突出するように設けられており、
前記回転体において、前記突出部が設けられた位置とは反対側には、当該突出部によって生じるトルクと同じトルクを生じさせる錘部が設けられている、請求項１又は２に記載の農耕用土締め作業具。
【請求項４】
前記振動板は、作業者が保持する操作杵を起点として、いずれか一方の外側に向かって曲折すると共に、その先端側は、内側に向かって湾曲している、請求項１〜３の何れか一項に記載の農耕用土締め作業具。
【請求項５】
前記振動板は、その下側が先端に向かって内側に捩じれており、内側に向かって湾曲する領域の下縁には、凹凸状に形成された歯部が形成されている請求項１〜４の何れか一項に記載の農耕用土締め作業具。
【請求項６】
前記振動板の先端側には、作業者が保持する操作杵を起点として延伸する弾性部材が連結されると共に、当該操作杵から直線状に延伸して振動板の揺動方向を規制するガイド部材が挿通される開口部が設けられている、請求項１〜５の何れか一項に記載の農耕用土締め作業具。
【考案の詳細な説明】
【技術分野】
【０００１】
本考案は植生された耕作物の基部に寄せた土を締める為の農耕用土締め作業具に関し、特に生産者（作業者）の労力を軽減し、高品質な耕作物の生産が可能になるよう工夫した農耕用土締め作業具に関する。
【背景技術】
【０００２】
植生された野菜や穀物といった耕作物には、耕作物の生長に合わせて土寄せ作業が必要となる。土寄せ作業を行うことで、株元を固定でき、雑草防止や、水はけを良くする効果、また肥料が雨等で流れ出ないようにする効果、その他、根を収穫する野菜は根を露出させない効果、等が得られる。また、耕作物の中には、土寄せ後の仕上げとして、耕作物の基部に寄せた土を締める作業（以下、単に「土締め」とも言う）が必要なものがある。例えば、白ネギ（根深ネギ）の栽培では、定植後に複数回の土寄せを行い、仕上げとして「土締め」作業を行うことで、葉の緑色の部分と軟白部のネギの襟色をくっきりさせ、首部の葉の開きを防ぐことができる為、高値で取引される高品質なネギが栽培可能となる。
【０００３】
しかしながら、この「土締め」を行う範囲は広範囲である場合が多く、夏場の厳しい暑さの時期に行うことも多々ある。その為、生産者（作業者）にとってこの「土締め」作業は、多くの労力を必要としていた。
【０００４】
そこで、従前においても生産者（作業者）の労力を軽減するべく、軽量化或いは作業性の簡便化を図った畝整形器（又は高畝整形器）は提案されている。
【０００５】
例えば、特許文献１（特開２０１０−２００６６７号公報）では、軽量で扱い易く、畝高や畝幅の変更も簡易構造で達成できる一般家庭向きの畝整形器が提案されている。即ち、畝の上面を整形する地均フレームと該地均フレームに接合されて畝の両側面を整形する斜面地均板と、該地均フレームに接合される牽引柄とから成る畝整形器において、前記地均フレームが、縦片と横片とからなる縦断面Ｌ字形で、該縦片には長手方向に沿って所要ピッチでボルト孔が貫設され、横片の先端部上面には長手方向両端から所要長さに渡って係合突起を立設し、長手方向中央部に横片の先端部に向けて一対の軸受板を突設し、両軸受板には軸支孔と支持孔と、該軸支孔を中心とする所要円弧上で上下２個の調整支持孔とを貫設し、縦片の外面には前記軸受板と反対方向に一対の基準板を突設して成り、前記斜面地均板は、縦片と横片とからなる縦断面Ｌ字形で、該横片には長手方向に沿って所要ピッチで一対のボルト孔を多段に貫設し、縦片の下端部には横片に向けて排土板を接合して成る整形本体と、該整形本体の横片の下面に接合する所要角度の傾斜面と前記地均フレームの横片への載置平面とを有し、軸長が地均フレームの横片長と整形本体の横片長との合算長より所要長さ分長尺で、一方の軸端にネジ孔を螺設するとともに、該軸端から所要位置に前記載置平面から上に凹状の係合溝を凹設してなる軸体とから成り、前記牽引柄が、上部柄と該上部柄にその一端が着脱自在に接合される下部柄とからなり、下部柄の他端には左右側面に渡って軸支孔と２個の支持孔が貫設され、上部柄には上端部と上端から所要寸法隔てた位置にそれぞれ上部ハンドルと牽引ハンドルとを設けて成る畝整形器、が提案されている。
【０００６】
また、特許文献２（特開平０８−１４０４０２号公報）では、高畝の上面両側に盛り上がった突条部や両側面に生じた凹凸を、手間を掛けず簡便に整形する高畝整形器が提案されている。即ち、作業者の牽引操作を可能とする牽引ハンドルを、フレーム本体に配置し、このフレーム本体の両側下端に、高畝の両側面を押圧可能な両側整形板をハ字型に突出して接続するとともにこの高畝の上面を均し可能な均し板をフレーム本体の間隔に牽引方向と交差する方向に配置し、この均し板の両側にハ字型の誘導板を牽引方向に突出して接続し、この誘導板の端部をフレーム本体に回動可能に軸支接続した事を特徴とする高畝整形器、が提案されている。
【先行技術文献】
【特許文献】
【０００７】
【特許文献１】特開２０１０−２００６６７号公報
【特許文献２】特開平０８−１４０４０２号公報
【考案の概要】
【考案が解決しようとする課題】
【０００８】
上記の通り、従前においても生産者（作業者）の労力を軽減するべく、軽量化或いは作業性の簡便化を図った畝整形器（又は高畝整形器）は提案されている。しかしながら、特許文献１及び文献２の技術では、畝の側面又は上部にかかる土を整形することは出来るものの、耕作物の基部に寄せた土を締めることは出来なかった。即ち、従来の技術では、例えば白ネギ等を栽培する場合に、白ネギの基部に寄せた土を締めることが出来ない故に、ネギの葉と軟白部の襟色にボケが生じ、高品質な白ネギの栽培が困難になっていた。
【０００９】
また、「土締め」作業を行う場合には、レーキ等の農具を用いて行っているのが実情であり、依然人力による手作業によるものであった。それ故に、生産者（作業者）にとって、「土締め」作業は多くの労力を必要とし、依然負担の大きいものとなっていた。
【００１０】
そこで、本考案では作業を行う上で多くの労力を必要とせず、生産者（作業者）の負担を極力減じることができると共に、耕作物の基部に寄せた土を効果的に締めることのできる農耕用土締め作業具を提供する事を第１の課題とする。
【００１１】
また、土（土壌）の種類には、火山灰土（黒ボク土）や沖積土壌、或いは砂質土や粘質土、等の様々な種類の土が存在し、それぞれ硬さも異なる。そして、栽培する耕作物にもそれぞれ生長に適した土（土壌）の硬さがある為、「土締め」をする際には、当該耕作物を栽培するのに適した硬さで土締めをする必要があった。しかしながら、従来の技術では、畝形成部分（部品）がフレームに固定されているだけの為、土を押し固める強さの調節が困難であった。また、レーキ等の農具を用いて「土締め」する際も、手作業によるものであった為に、均一な力で「土締め」を行うことが困難であった。よって、「土締め」を均一な力で行うことが出来ず、不適当な硬さで「土締め」を行ってしまった場合には、品質の悪い耕作物が栽培されてしまう可能性があった。
【００１２】
そこで、本考案では耕作物の基部に寄せた土を押し固める強さの調節が容易にでき、高品質な耕作物の生産が可能になるよう工夫した農耕用土締め作業具を提供する事を第２の課題とする。
【課題を解決するための手段】
【００１３】
前記課題の少なくとも何れかを解決するべく、本考案では作業具を機械化して制御可能に形成することで、人力による「土締め」作業の労力を極力減ずることのできる農耕用土締め作業具を提供する。
【００１４】
即ち、植生された耕作物の基部に寄せた土を締める為の農耕用土締め作業具であって、曲折する板状部材によって形成された振動板と、前記振動板を、その厚さ方向に振動させる駆動部とからなる農耕用土締め作業具を提供する。
【００１５】
ここで言う耕作物とは、田畑を耕して栽培される穀物や野菜等の作物を広く指す。具体的には、大根やゴボウ、きゅうりやピーマン、なすといった野菜や、小麦や稲、トウモロコシ等の穀物を広く指している。本考案品は、例えば白ネギ（根深ネギ）のように、形成する畝が４０〜５０ｃｍにも及ぶ可能性のある場合など、即ち生産者（作業者）にとって土締めの労力を多く必要とする耕作物を栽培する場合に特に有用に使用できる。
【００１６】
≪振動板の構成について≫
前記振動板は、耕作物の基部に寄せた土（止め土）を押圧して押し固める（締める）為の主体となる要素である。本考案品では、当該振動板の外側面によって押圧して土を押し固めていく際、当該振動板を後述する駆動部により厚さ方向に振動させながら土を押圧することで、効果的に土を押し固めることができる。即ち、振動板を振動させることで、土の粒間に存在する空気を抜きながら土を押し固めることが出来る為、耕作物の基部にかかる土の密度を上げることができる。結果、振動させることによって、耕作物の基部を密度の高い土で形成することができ、当該基部に光が入り込む可能性を極力減じることができる為、高品質な耕作物の栽培が可能になる。これは、特に白ネギ等の栽培に有用であり、基部に光が入り込む可能性を極力減じることで、葉の緑色の部分と軟白部のネギの襟色をくっきりさせた高品質なネギの栽培が可能になる。また、本考案品を使用することで、単に押し固めるだけでは土の密度を上げることが困難であった砂質土等の場合であっても、振動させて「土締め」を行うことによって、効果的に土の密度を上げることができる。
【００１７】
従って、当該振動板は、駆動部からの振動が伝わり、その振動によって土を押し固めていくことが出来れば足りる為、当該振動板を形成する形状に限りは無い。例えば、Ｒ状に曲げた板状部材でも良いし、直角に折り曲げた板状部材、或いは多角形状に曲げた板状部材でも構わない。但し、振動が伝わった際に破損や損壊を生じない形状であると共に、作業者が本作業具を持って後進（又は前進）しながら作業を行うに当たり、その後進（又は前進）作業性を阻害しない形状に形成されることが望ましい。  
【００１８】
また、当該振動板を形成する材料は、駆動部の揺動動作が伝わり易い材料であることが望ましく、ステンレスやアルミ等の金属、或いは樹脂、その他木材でも形成することができる。但し、本作業具は長期間使用され、風雨にも晒される可能性が高いことも考慮すれば、当該振動板は、防錆性に富み、且つ延性・靭性に富んだ性質を備えるステンレス製で形成されるのが望ましい。
【００１９】
＜振動板の具体的形状について＞
前記振動板の具体的な形状としては、例えば前記振動板を、作業者が保持する操作杵を起点として、いずれか一方の外側に向かって曲折させると共に、その先端側を、内側に向かって湾曲するよう形成することもできる。曲折させることで、弾性変形が可能になり、駆動部の振動が伝わった際に当該振動板が揺動し易くなる為、効果的に土を押し固めることができる。また、先端側を内側に湾曲するよう形成することで、後進（或いは前進）しながら作業を行うに当たり、先端側によって押し固めた土が再び崩れたりする危険を無くし、スムーズな土締め作業が可能となる。
【００２０】
また、振動板は、その下側を先端に向かって内側に捩じるよう形成し、内側に向かって湾曲する領域の下縁には、歯部を形成することもできる。当該歯部は土をほぐす役割を果たし、凹凸状に形成することもできる他、Ｖ字状、或いはＳ字状等に形成しても構わない。即ち、歯部を形成した場合には、土をほぐすことができるメリットも見出せる。土をほぐすことが出来る事で、例えば白ネギ等の様に基部の土を柔らかく形成する必要がある場合などに役立てる事が出来る。また、振動板の下側を先端に向かって内側に捩じることで、耕作物の基部に寄せた土を押圧して押し固め易くできる。結果、本作業具を使用することで、土をほぐす、及び押圧して土を押し固めるといった作業の際に、作業者の余計な力を必要とせず、極力少ない労力で土締め作業を行うことが可能となる。
【００２１】
＜振動板の揺動量、及び揺動方向規制手段について＞
なお、当該振動板には、駆動部によって揺動する量、及び揺動する方向を規制する手段を設けるのが望ましい。これは、振動板の揺動量及び揺動方向を規制する事で、必要以上に振動板が揺動することを抑止でき、土を押し固める際（又は土をほぐす際）に、振動板によって土が飛散してしまう可能性を効果的に減じることができる為である。具体的な規制手段としては、例えば、振動板の揺動量を規制する為に、作業者が保持する操作杵を起点として延伸する弾性部材を設けて規制することができる。当該弾性部材は、ゴムやバネ、或いはクッション等で形成できる他、目的によっては木材や樹脂等で形成することもできる。即ち、目的に応じて弾性部材の材料を適宜選択使用することで、振動板の適正な揺動量の規制が可能となる。
【００２２】
また、振動板の揺動方向を規制する手段として、例えば当該操作杵から直線状に延伸してなるガイド部材を設けると共に、振動板の先端側には、当該ガイド部材が挿通される開口部を設けて、当該開口部からガイド部材が突出するよう形成することで、揺動方向を規制することもできる。即ち、当該ガイド部材は、振動板が揺動する方向を導くことができ、振動板が目的以外の方向に揺動することを抑止する役割を持つ。その為、当該ガイド部材は、棒状或いは板状等の形状で形成することができ、形成する材料としても、ステンレスやアルミ等の金属、或いは樹脂等で形成することができる。但し、当該振動板の揺動方向を規制するに当たり、長時間使用しても破損や損壊の生じ難い形状及び材料で形成されるのが望ましい。
【００２３】
上記のように振動板の揺動量、及び揺動方向を規制することで、必要以上に振動板が揺動することを抑止でき、安全に且つ効率の良い「土締め」作業を行うことが可能となる。
【００２４】
≪駆動部の構成について≫
ここで、前記振動板を厚さ方向に振動させる駆動部について説明する。当該駆動部は、振動板を振動させる為の動力源となる。即ち、振動板に対して振動を伝達できれば良く、その構成方法に限りは無い。当該駆動部は、回転力を利用して振動板を振動させる構成が望ましく、例えば、カム機構やリンク機構、或いはクランク機構等を利用して、その動力を伝達することができる。但し、作業者の作業負担を極力減じる為にも、当該駆動部は制御可能に構成することが望ましく（自動制御可能であれば尚望ましい）、その動力量を容易に調整できるものであることが特に望ましい。なぜなら、栽培する耕作物によって、適した土壌の硬さは異なり、土締めする硬さも都度変更必要な場合がある為である。
【００２５】
＜駆動部の具体的形状について＞
かかる駆動部は、軸回りに同一面内を回転する回転体を伴って構成することができ、当該回転体には、径方向外側に突出する突出部を設けて構成することができる。かかる駆動部によれば、前記回転体の回転によって、前記突出部を振動板に衝突させることによって、当該振動板を振動させることができる。この方法によれば、回転体の回転トルクの調節（制御）によって、土を押し固める（締める）力を容易に調節できる。また、振動板の径方向外側に突出させる突出部の突出量を適宜変更することによって、振動板の振動量を調節することもできる。よって、例えば、一旦白ネギ（根深ネギ）の田畑を土締めした後、次に他の耕作物の耕作地の土締めをするといった際にも、土締めの硬さの調節が容易である為、作業具を別のもの（動力量の異なるもの）に取り換えたりする必要も無い。
【００２６】
ここで、前記回転体は円盤状や板状、その他、三角形状や四角形状等の多角形状で形成することができる。また、前記突出部は、前記回転体とは別部材として形成して設けることができるが、回転体の先端側を凸状に形成して、当該凸部を突出部として形成しても構わない。即ち、当該突出部は、前記回転体の径方向外側に突出してあればよく、振動板に衝突して振動させる構造であれば良い。さらに、当該突出部は、それ自体が自転するよう設けても構わない。突出部自体が自転するよう設けることで、振動板に衝突する際に生じる抵抗を減じることができ、突出部（又は振動板）が損傷する可能性を減じることができる。
【００２７】
前述した様に、前記回転体の先端側には、当該回転体から突出するよう突出部を設けることで、振動板を振動させることができる。但し、単に突出部を設けただけでは、突出部の荷重によって、回転体の回転運動に支障をきたしてしまう可能性がある。そこで、前記回転体には、突出部を設けた位置とは反対側に、当該突出部によって生じるトルクと同じトルクを生じさせる錘部を設けるのが望ましい。当該錘部を設けることで、回転体のバランスが取れ、精確な回転運動が可能になる。よって、回転体のバランスを取る構成とすることで、当該回転体は精確な回転運動が可能になり、振動板には常に所定の振動が伝達できるようになる為、効率の良い土締め作業を行うことが可能になる。
【００２８】
≪作業性について≫
上記の様に形成された本作業具は、作業者が操作杵を握持して正面を向いたまま直立姿勢で使用することができる。よって、本作業具を使用すれば、しゃがみ込んだり、腰を曲げて作業を行う必要が無い上に、直立姿勢で作業を行うことができる為、極力少ない労力で「土締め」作業を行うことができる。また、複数人で作業具を握持する必要も無い為、「土締め」を行うに当たっての作業人員削減、ひいてはコスト削減に繋げることができる。
【００２９】
そして、本作業具を使用することで、効果的に「土締め」された耕作物は、例えば白ネギ（根深ネギ）の場合には、首部が確実に締まり、葉の緑色の部分と軟白部のネギの襟色がくっきりした高品質な耕作物として栽培されることが可能になる。
【考案の効果】
【００３０】
本考案品は、曲折する板状の振動板が、駆動部の揺動によって厚さ方向に振動することで、当該振動板の外側面によって押圧して土を押し固めていく際、効果的に土を押し固める（締める）ことができる。当該駆動部は機械化され、制御可能に構成されている為、「土締め」を行う労力が極力少なくて済み、生産者（作業者）の負担を極力減じることができる。
【００３１】
また、本考案品は、駆動部における回転数、又は駆動部における回転体の形状、その他振動板の形状、等によって、「土締め」の際の土を押し固める強さの調節が容易にできる。よって、異なる種類の野菜（又は穀物）の「土締め」を行う際にも、作業具を別のもの（動力量の異なるもの）に取り換える必要も無く、高品質な耕作物の生産が可能になる。
【００３２】
さらに、本考案品は、作業者が操作杵を握持して正面を向いたまま直立姿勢で使用することができる。即ち、本考案品を使用すれば、しゃがみ込んだり、腰を曲げて作業を行う必要が無く、極力少ない労力で「土締め」作業を行うことができる。また、複数人で作業具を握持する必要も無い為、「土締め」を行うに当たっての作業人員削減、ひいてはコスト削減に繋げることができる。
【図面の簡単な説明】
【００３３】
【図１】本実施の形態にかかる農耕用土締め作業具の斜視略図である。
【図２】本実施の形態にかかる農耕用土締め作業具の構成を示す平面図であり、（Ａ）回転体を示す平面略図、（Ｂ）振動板の規制手段を示す平面略図である。
【図３】他の実施の形態にかかる回転体の幾つかの実施例を示す平面略図である。
【図４】他の実施の形態にかかる振動板の幾つかの実施例を示す平面略図である。
【図５】本実施の形態にかかる農耕用土締め作業具の使用例を示す斜視略図である。
【考案を実施するための形態】
【００３４】
以下、図面を参照しながら本実施の形態にかかる農耕用土締め作業具を具体的に説明する。
【００３５】
図面を簡単に説明すると、図１では、本実施の形態にかかる農耕用土締め作業具の斜視略図を示し、図２では、本実施の形態にかかる農耕用土締め作業具の構成を示す平面図であり、（Ａ）回転体を示す平面略図、（Ｂ）振動板の規制手段を示す平面略図を示している。また、図３では他の実施の形態にかかる回転体の幾つかの実施例を示す平面略図を示し、図４では他の実施の形態にかかる振動板の幾つかの実施例を示す平面略図を示し、図５では本実施の形態にかかる農耕用土締め作業具の使用例を示す斜視略図を示している。
【００３６】
図１及び図２に示すように、本実施の形態にかかる農耕用土締め作業具Ｇは、Ｒ状に曲折する板状に形成した振動板１０と、当該振動板１０をその厚さ方向に振動させる駆動部１１とから構成している。前記振動板１０は、防錆性を備えたステンレス製で形成し、駆動部１１による振動によって破損や損壊が生じないよう、外側面には２本の棒状の補強部１７を溶接することで補強を施している。
【００３７】
また、当該振動板１０は、作業者が保持する操作杵１５を起点として外側に向かって曲折させると共に、その先端側を、内側に向かって湾曲するよう形成している。曲折させることで、弾性変形が可能になり、駆動部１１の振動が伝わった際に当該振動板１０が揺動し易くなる為、効果的に土を押し固めることができる。また、先端側を内側に湾曲するよう形成することで、後進（或いは前進）しながら作業を行うに当たり、先端側によって押し固めた土が再び崩れたりする危険を無くし、スムーズな土締め作業を可能としている。
【００３８】
さらに、当該振動板１０は、その下側を先端に向かって内側に捩じるよう形成し、内側に向かって湾曲する領域の下縁には、凹凸状の歯部１８を形成している。当該歯部１８を形成することで、土をほぐすこともできる他、振動板１０の下側を先端に向かって内側に捩じることで、耕作物の基部に寄せた土を押圧して押し固め易いよう形成している。結果、本作業具Ｇを使用することで、土をほぐす、及び押圧して土を押し固めるといった作業の際に、作業者の余計な力を必要とせず、極力少ない労力で土締め作業を行うことが可能となる。
【００３９】
ちなみに、当該振動板１０はＲ状に形成するだけではなく、図３で示すように、他の形状に形成することもできる。例えば、図３（Ａ）における振動板１０Ａのように、直角に折り曲げた形状に形成することもできる。振動板１０Ａを直角に折り曲げて形成できることで、Ｒ状に形成するよりも加工が容易となり、加工時間の短縮にも繋げることができる。また、図３（Ｂ）における振動板１０Ｂのように、円弧状に形成したり、図３（Ｃ）における振動板１０Ｃのように多角形状に形成することもできる。図３（Ｂ）及び図３（Ｃ）における振動板（１０Ｂ、及び１０Ｃ）では、土を押圧する部分を広い表面積で形成することで、１回の作業でより多くの土に対して「土締め」ができるよう形成している。よって、土を押圧して土を押し固める作業が、比較的少ない時間で済み、生産者（作業者）の負担をより減じることができる。
【００４０】
特に、本実施の形態にかかる当該振動板１０には、駆動部１１によって揺動する量、及び揺動する方向を規制する手段を設けている。振動板１０の揺動量及び揺動方向を規制する事で、必要以上に振動板１０が揺動することを抑止でき、土を押し固める際（又は土をほぐす際）に、振動板１０によって土が飛散してしまう可能性を効果的に減じている。
【００４１】
具体的には、図１及び図２（Ｂ）に示すように、振動板１０の揺動量を規制する為に、作業者が保持する操作杵１５を起点として延伸する弾性部材１９を設けている。本実施の形態においては、弾性部材１９をバネで形成しているが、その他の材料で形成しても構わない。即ち、目的に応じて弾性部材１９の材料を適宜選択使用することで、振動板１０の適正な揺動量の規制が可能となる。
【００４２】
また、振動板１０の揺動方向を規制する手段として、当該操作杵１５から直線状に延伸してなる棒状のガイド部材２０を設けると共に、振動板１０の先端側には、当該ガイド部材２０が挿通される開口部２１を設けて、当該開口部２１からガイド部材２０が突出するよう形成している。即ち、当該ガイド部材２０は、弾性部材１９と連結されることで、振動板１０が揺動する方向を導くことができ、振動板１０が目的以外の方向に揺動することを抑止している。上記の様に振動板１０の揺動量、及び揺動方向を規制することで、必要以上に振動板１０が揺動すること無く、安全に且つ効率良く「土締め」作業を行うことができる。
【００４３】
ここで、当該振動板１０を厚さ方向に振動させる駆動部１１について説明する。図１及び図２（Ａ）に示すように、当該駆動部１１には、軸回りに同一面内を回転する円盤状の回転体１２を設けている。当該回転体１２には、径方向外側に突出する突出部１３を設け、当該突出部１３を回転体１２の回転によって振動板１０の内側面に衝突させることで、当該振動板１０を振動させている。当該回転体１２は、中央部の軸支部１６によって操作杵１５に軸支されており、回転トルクが制御可能に形成されている。よって、本作業具Ｇは、回転体１２の回転トルクが制御可能である為、土を押し固める（締める）力を容易に調節できる構成としている。
【００４４】
また、当該回転体１２には、突出部１３を設けた位置とは反対側に、錘部１４を設けている。これは、錘部１４を設けることで、回転体１２のバランスを取り、精確な回転運動を可能にする為である。回転体１２の精確な回転運動が可能になることで、振動板１０には常に所定の振動が伝達できるようになり、効率の良い土締め作業を行うことが可能になる。
【００４５】
なお、図４にも示すように、当該回転体１２は様々な形状で形成することができる。例えば、図４（Ａ）のように六角形状の回転体１２Ａや、図４（Ｂ）のように四角形状の回転体１２Ｂとして形成することもできる。即ち、六角形状や四角形状等の多角形状に形成できることで、前述した円盤状の様に周縁を滑らかに加工する必要も無くなり、回転体を機械加工によって形成する上で、加工が容易となり、加工時間の短縮も可能になる。
【００４６】
また、図４（Ｃ）における回転体１２Ｃのように、回転体１２Ｃの周縁部に凸部として突出するように突出部１３を設けることもできる。当該突出部１３は、回転体１２Ｃと一体で形成している為、別部材として形成する必要が無く、部材節約並びに加工コストの節約に繋げている。
【００４７】
さらに、図４（Ｄ）における回転体１２Ｄのように、ボード状に回転体１２Ｄを形成し、軸支部１６から端部までの長さＬ１を、他方の端部までの長さＬ２より長く形成することもできる。軸支部１６から端部までの長さＬ１を、他方の端部までの長さＬ２より長く形成することで、その長さの差異となる部分が突出部１３としての役割を果たすことができ、その突出部１３を振動板に衝突させることで、振動板１０を振動させることができる。即ち、上記の回転体１２Ｄのように形成できれば、突出部１３を別途部材として形成したり、回転体の先端に突出部の形状を改めて付す必要が無い為、加工するのが容易で、加工時間の短縮並びにコスト削減に繋げることができる。
【００４８】
そして、図５に示すように、上記の様に形成された農耕用土締め作業具Ｇは、植生された耕作物５０（ここでは白ネギ）の基部に寄せた土５１を押し固める（締める）為に使用される。即ち、本作業具Ｇにおける振動板１０を振動させながら、当該振動板１０の外側面で土５１を押圧することによって、土５１の粒間の空気を抜きながら効果的に押し固めていくことができる。
【００４９】
また、当該作業具Ｇは、作業者が操作杵１５を握持して正面を向いたまま直立姿勢で使用することができる。よって、本作業具Ｇを使用すれば、しゃがみ込んだり、腰を曲げて作業を行う必要が無く、極力少ない労力で土締め作業を行うことができる。また、複数人で作業具Ｇを握持する必要も無い為、「土締め」を行うに当たっての作業人員削減、ひいてはコスト削減に繋げることができる。
【００５０】
そして、本作業具Ｇを使用することで、効果的に土締めされた耕作物５０（ここでは白ネギ）は、首部が確実に締まり、葉の緑色の部分と軟白部のネギの襟色がくっきりとした高品質な耕作物５０として栽培されることが可能になる。
【符号の説明】
【００５１】
Ｇ    農耕用土締め作業具
１０    振動板
１１    駆動部
１２    回転体
１３    突出部
１４    錘部
１５    操作杵
１６    軸支部
１７    補強部
１８    歯部
１９    弾性部材
２０    ガイド部材
２１    開口部
５０    耕作物
５１    土
【図１】
0003198501.tif 000003
【図２】
0003198501.tif 000004
【図３】
0003198501.tif 000005
【図４】
0003198501.tif 000006
【図５】
0003198501.tif 000007
【手続補正書】
【提出日】平成27年4月30日(2015.4.30)
【手続補正１】
【補正対象書類名】実用新案登録請求の範囲
【補正対象項目名】全文
【補正方法】変更
【補正の内容】
【実用新案登録請求の範囲】
【請求項１】
植生された耕作物の基部に寄せた土を締める為の農耕用土締め作業具であって、
曲折する板状に形成された振動板と、
入力した回転によって、前記振動板を、その厚さ方向に振動させる駆動部とからなる事を特徴とする、農耕用土締め作業具。
【請求項２】
前記駆動部は、軸周りに同一面内を回転する回転体を備えており、
当該回転体は、径方向外側に突出する突出部を備えており、
当該突出部は、前記回転体の回転により前記振動板に衝突し、当該振動板を振動させる、請求項１に記載の農耕用土締め作業具。
【請求項３】
前記回転体は円盤状又は板状であって、
前記突出部は、前記回転体の先端側に、当該回転体から突出するように設けられており、
前記回転体において、前記突出部が設けられた位置とは反対側には、当該突出部によって生じるトルクと同じトルクを生じさせる錘部が設けられている、請求項２に記載の農耕用土締め作業具。
【請求項４】
前記振動板は、作業者が保持する操作杵を起点として、いずれか一方の外側に向かって曲折すると共に、その先端側は、内側に向かって湾曲している、請求項１〜３の何れか一項に記載の農耕用土締め作業具。
【請求項５】
前記振動板は、その下側が先端に向かって内側に捩じれており、内側に向かって湾曲する領域の下縁には、凹凸状に形成された歯部が形成されている請求項１〜４の何れか一項に記載の農耕用土締め作業具。
【請求項６】
前記振動板の先端側には、作業者が保持する操作杵を起点として延伸する弾性部材が連結されると共に、当該操作杵から直線状に延伸して振動板の揺動方向を規制するガイド部材が挿通される開口部が設けられている、請求項１〜５の何れか一項に記載の農耕用土締め作業具。